(57)【要約】【課題】  動画像ファイル選択時にその概要をより正確に把握することを可能とすることにある。【解決手段】  画像ファイルから動画像ファイルが選択された場合、当該動画像ファイルから抽出された複数のフレームデータを表示手段上に表示させ、画像ファイルから静止画ファイルが選択された場合、当該静止画ファイルを前記表示手段上に表示させる。【選択図】  図４
2006211419.tif 000002
【特許請求の範囲】
【請求項１】
少なくとも一つの画像ファイルを記録する記録手段と、
前記画像ファイルに含まれる動画像ファイルから複数のフレームデータを抽出する抽出手段と、
前記画像ファイルから任意の画像ファイルを選択可能な選択手段と、
前記選択手段により前記画像ファイルから前記動画像ファイルが選択された場合、前記抽出手段により抽出された前記複数のフレームデータを表示手段上に表示させ、前記選択手段により前記画像ファイルから静止画ファイルが選択された場合、前記静止画ファイルを前記表示手段上に表示させる表示制御手段とを有することを特徴とする画像処理装置。
【請求項２】
前記選択手段により前記動画像ファイルが選択された場合における前記表示手段上の表示状態を、前記複数のフレームデータを前記表示手段上に表示させる表示状態と他の表示状態との間で切り替える切り替え手段を更に有することを特徴とする請求項１に記載の画像処理装置。
【請求項３】
前記他の表示状態とは、前記動画像ファイルの第１のフレームデータを前記表示手段上に表示させる表示状態であることを特徴とする請求項２に記載の画像処理装置。
【請求項４】
前記抽出手段は、前記動画像ファイルの前記記録手段に対する記録動作とともに、前記動画像ファイルからの前記複数のフレームデータの抽出動作を実行することを特徴とする請求項１乃至３の何れか１項に記載の画像処理装置。
【請求項５】
前記抽出手段は、前記動画像ファイルの前記記録手段への記録時間の経過に従って、前記複数のフレームデータの抽出間隔を変化させることを特徴とする請求項１乃至４の何れか１項に記載の画像処理装置。
【請求項６】
前記抽出手段は、前記動画像ファイルの前記記録手段への記録時間の経過に従って、前記複数のフレームデータの抽出間隔を広げることを特徴とする請求項５に記載の画像処理装置。
【請求項７】
前記抽出手段は、前記動画像ファイルの前記記録手段への記録時間の経過に従って、前記複数のフレームデータの抽出数を一定に保ちつつ抽出間隔を広げることを特徴とする請求項５に記載の画像処理装置。
【請求項８】
前記表示制御手段は、前記抽出手段により抽出された前記複数のフレームデータのうちの一部を前記表示手段上に表示させることを特徴とする請求項１に記載の画像処理装置。
【請求項９】
前記動画像ファイルは、動画再生用データを含み、前記抽出手段により抽出された前記複数のフレームデータは、前記動画再生用データとともに前記動画ファイル内に更に記録されることを特徴とする請求項１乃至８の何れか１項に記載の画像処理装置。
【請求項１０】
前記動画ファイルは、動画再生用データを含み、前記抽出手段により抽出される前記複数のフレームデータは、前記動画像ファイルとは異なるファイル内に記録されることを特徴とする請求項１乃至８の何れか１項に記載の画像処理装置。
【請求項１１】
前記複数のフレームデータは、前記動画像ファイル内において前記動画再生用データより前の読み取り位置に記録されることを特徴とする請求項９に記載の画像処理装置。
【請求項１２】
画像処理装置による画像処理方法であって、
記録手段に記録される少なくとも一つの画像ファイルに含まれる動画像ファイルから、複数のフレームデータを抽出する抽出ステップと、
前記画像ファイルから任意の画像ファイルを選択可能な選択ステップと、
前記選択ステップにより前記画像ファイルから前記動画像ファイルが選択された場合、前記抽出ステップにより抽出された前記複数のフレームデータを表示手段上に表示させ、前記選択ステップにより前記画像ファイルから静止画ファイルが選択された場合、前記静止画ファイルを前記表示手段上に表示させる表示制御ステップとを含むことを特徴とする画像処理方法。
【請求項１３】
請求項１２に記載の画像処理方法をコンピュータに実行させるためのプログラム。
【請求項１４】
請求項１３に記載のプログラムを記録したコンピュータ読み取り可能な記録媒体。
【発明の詳細な説明】
【技術分野】
【０００１】
本発明は、記録媒体内に記録される動画像ファイルの内容を再生させることなく把握可能な画像処理装置及び画像処理方法に関するものである。
【背景技術】
【０００２】
従来、固体メモリ素子を有するメモリカードを記録媒体として、動画データを再生可能な動画像処理装置が既に販売されている。これら動画像再生装置では、画像選択の際に動画データの場合は第１フレームをその動画データを代表する画像として表示していた。
【０００３】
【特許文献１】特開２００３−３３３５３７号公報
【発明の開示】
【発明が解決しようとする課題】
【０００４】
しかしながら、従来の動画像再生装置において動画を選択する際、第１フレームのみしか表示されないとどのような動画データなのか良く分からず、その動画を再生してみないと内容を確認することができなかった。
【０００５】
そこで、本発明の目的は、動画像ファイル選択時にその概要をより正確に把握することを可能とすることにある。
【課題を解決するための手段】
【０００６】
本発明の画像処理装置は、少なくとも一つの画像ファイルを記録する記録手段と、前記画像ファイルに含まれる動画像ファイルから複数のフレームデータを抽出する抽出手段と、前記画像ファイルから任意の画像ファイルを選択可能な選択手段と、前記選択手段により前記画像ファイルから前記動画像ファイルが選択された場合、前記抽出手段により抽出された前記複数のフレームデータを表示手段上に表示させ、前記選択手段により前記画像ファイルから静止画ファイルが選択された場合、前記静止画ファイルを前記表示手段上に表示させる表示制御手段とを有することを特徴とする。
【０００７】
本発明の画像処理方法は、画像処理装置による画像処理方法であって、記録手段に記録される少なくとも一つの画像ファイルに含まれる動画像ファイルから、複数のフレームデータを抽出する抽出ステップと、前記画像ファイルから任意の画像ファイルを選択可能な選択ステップと、前記選択ステップにより前記画像ファイルから前記動画像ファイルが選択された場合、前記抽出ステップにより抽出された前記複数のフレームデータを表示手段上に表示させ、前記選択ステップにより前記画像ファイルから静止画ファイルが選択された場合、前記静止画ファイルを前記表示手段上に表示させる表示制御ステップとを含むことを特徴とする。
本発明のプログラムは、前記画像処理方法をコンピュータに実行させることを特徴とする。
本発明のコンピュータ読み取り可能な記録媒体は、前記プログラムを記録したことを特徴とする。
【発明の効果】
【０００８】
本発明によれば、動画像ファイルが選択された場合、当該動画像ファイルから抽出された複数のフレームデータを表示手段上に表示させるように構成したので、当該動画像ファイル選択時にその概要をより正確に把握することが可能となる。
【発明を実施するための最良の形態】
【０００９】
以下、本発明を適用した好適な実施形態を、添付図面を参照しながら詳細に説明する。
【００１０】
＜第１の実施形態＞
先ず、本発明の第１の実施形態について説明する。図１は、本発明の第１の実施形態に係る動画像再生装置の構成を示す図である。図１において、１００は動画像再生装置、１０１はシステム制御回路、１０２は汎用の揮発性メモリ、１０３は圧縮された画像データを伸長するデータ伸長部である。１０４は画像用Ｄ／Ａ変換器であり、メモリ制御部１０５により揮発性メモリ１０２の映像データを取得し、映像音声出力端子１０６、映像表示装置１０７から映像を出力するためのアナログ信号に変換する。
【００１１】
１０８は外部出力接続検知器であり、映像音声出力端子１０６に外部映像表示装置が接続されているかどうかを検知する。１０９は動画選択時の表示方法を切り替えるダイジェストスイッチであり、４００は表示画像を選択するための操作部である。
【００１２】
１１１は音声用Ｄ／Ａ変換器であり、音声データを映像音声出力端子１０６、スピーカ１１２から出力するためのアナログ信号に変換する。１１３は電源制御部であり、コネクタ１１４に接続された、電源２０１及びコネクタ２０２から成る電源部２００から安定した電圧をシステム制御回路１０１に供給する。
【００１３】
１１５は不揮発性メモリ・インタフェースであり、コネクタ１１６に接続された、記録部３０１、インタフェース３０２及びコネクタ３０３から成る不揮発性メモリ３００から圧縮された画像データを受け取る。
【００１４】
図２は、動画像再生装置１００の操作部４００を示した図である。操作部４００は、画像選択時に画像を戻すボタン４０１、動画データ時に動画再生を開始するボタン４０２、画像選択時に画像を送るボタン４０３、複数の画像データを同時に画面に表示するためのマルチ画像再生ボタン４０４から成る。
【００１５】
図３は、動画をダイジェスト表示する際のフレームと表示位置との関係を模式的に示す図である。図３に示すように、動画に含まれる複数のフレームから適当に数フレームが抜き出され、同時に画面上に表示される。
【００１６】
次に、図４乃至図８を参照して本実施形態の動作を説明する。図８は、本実施形態の動画像再生装置１００の動作を示すフローチャートである。
【００１７】
電源投入により、システム制御回路１０１はフラグや制御変数等を初期化し（ステップＳ１０１）、不揮発性メモリ３００に記録されている画像データ情報を取得する（ステップＳ１０２）。
【００１８】
システム制御回路１０１は、外部出力接続検知器１０８により映像音声出力端子１０６に変化があることを検知した場合（ステップＳ１０３／ＹＥＳ）、映像音声出力端子１０６に外部映像表示装置が接続されていたならＤ／Ａ変換器１０４、１１１の出力を映像音声出力端子１０６に入力し、映像音声出力端子１０６に外部映像表示装置が接続されていなかったならＤ／Ａ変換器１０４、１１１の出力を画像表示装置１０７、スピーカ１１２に入力する（ステップＳ１０６）。
【００１９】
システム制御回路１０１は、ダイジェストスイッチ１０９のＯＮ／ＯＦＦが変化していることを検知した場合（ステップＳ１０４／ＹＥＳ）、動画時の表示方法を切り替え（ステップＳ１０７）、現在動画を選択中であったならば（ステップＳ１０８／ＹＥＳ）、現在表示している画面を更新する（ステップＳ１０９）。
【００２０】
ダイジェストスイッチ１０９のＯＮ／ＯＦＦに伴う画面表示の変化の様子を図６に示す。ダイジェストＯＮで動画内の複数フレームを同時に画面に表示し、ダイジェストＯＦＦで動画の第１フレームのみを画面に表示する。
【００２１】
システム制御回路１０１は、操作部４００により画像選択されていることを検知した場合（ステップＳ１０５／ＹＥＳ）、動画再生ボタン４０２が押下されているなら（ステップＳ１１０／ＹＥＳ）、動画を再生し（ステップＳ１１１）、選択ボタン４０１、４０３、４０４が押下されているならボタンに応じて表示画面を更新する（ステップＳ１１２）。
【００２２】
操作部４００の操作に伴う画面表示の変化の様子を図４、図５及び図７に示す。ダイジェストスイッチ１０９がＯＮならば、画像戻し４０１及び画像送り４０３により一枚ずつ画像を送るが、動画の際には図４に示すようにダイジェスト表示となる。ダイジェストスイッチ１０９がＯＦＦならば、動画の際には図５に示すように第１フレームを表示する。
【００２３】
マルチ再生ボタン４０４が押されたら、複数の画像を同時に画面に表示する。その際はダイジェストスイッチ１０９がＯＮであっても、図７に示すように動画データは第１フレームを表示するのみ。
【００２４】
本発明の第１の実施形態によれば、動画を選択する際に画像選択の段階でその動画の概要を掴むことが可能になる。
【００２５】
＜第２の実施形態＞
次に、本発明の第２の実施形態について説明する。図９は、本発明の第２の実施形態に係る動画像再生装置の構成を示す図である。
【００２６】
図９において、９００は動画像再生装置である。９０１はシステム制御回路、９０２は汎用の揮発性メモリ、９０３は画像データを圧縮するデータ圧縮部である。９０４は撮像部であり、撮像部９０４により取得されたアナログ画像データは画像用Ａ／Ｄ変換器９０５によりデジタル画像データに変換され、メモリ制御部９０６により揮発性メモリ９０２に記憶される。
【００２７】
９０７はマイクであり、マイク９０７により取得されたアナログ音声データは音声用Ａ／Ｄ変換器９０８によりデジタル音声データに変換され、システム制御回路９０１に入力される。
【００２８】
９０９は操作部であり、ユーザが"動画撮影の開始・停止"、"ダイジェスト表示用データと動画再生用データが同ファイル・別ファイル"を動画像再生装置９００に伝えるために使われる。
【００２９】
９１０は電源制御部であり、コネクタ９１１に接続された、電源１００１及びコネクタ１００２から成る電源部１０００から安定した電圧をシステム制御回路９０１に供給する。９１２は不揮発性メモリ・インタフェースであり、コネクタ９１３に接続された、記録部１１０１、インタフェース１１０２及びコネクタ１１０３から成る不揮発性メモリ１１００に圧縮された画像データを出力する。
【００３０】
図１０は、理想的なダイジェスト画像間隔を示した図である。図３に示すフレームと表示装置との関係において、理想的には、先頭フレーム、最終フレーム間を等間隔に区切り、ダイジェスト画像を抜き出し、表示するのが望ましい。最終フレーム番号は撮影終了時に決定されるため、撮影中に理想的な間隔でダイジェスト画像候補データを取得するのは不可能である。
【００３１】
図１１は、ダイジェスト表示用データの候補画像を取得するタイミングの一例を示す図である。図１１に示すように、取得間隔を撮影時間が長くなるにつれて取得タイミングの間隔を広げることで、ある程度理想的なダイジェスト画像間隔に近づけることが可能である。
【００３２】
図１２は、ダイジェスト表示用データを含まない動画ファイルと、動画再生用データとダイジェスト表示用データの両方を含む動画ファイルとの構造を示す図である。ダイジェスト表示用データを含まない動画ファイルは、動画情報の含まれるヘッダ部と動画再生用データ部の間にはダイジェスト表示用データが存在しないが、ダイジェスト表示用データを含む場合には、動画情報の含まれるヘッダ部と動画再生用データ部との間にダイジェスト表示用データがある。このような構造を採るのは、ファイルシステムの構造上、ファイル位置が前にあるデータの方が速くアクセス可能なためである。
【００３３】
図１３は、動画再生用データとダイジェスト表示用データが別ファイルになっている場合の動画ファイルの構造を示す図である。ダイジェスト表示用データを含まない場合は、別ファイルには動画情報や動画像の第１フレームしか存在しなかったが、ダイジェスト表示用データを含む場合は別ファイルにダイジェスト表示用データも存在する。このような構成を採ることで、別ファイルにダイジェスト表示用データが存在するため、動画再生用データの含まれるファイルが巨大になってもダイジェスト表示時間には影響がない。なお、図１２、図１３に示す例は、上述した第１の実施形態、及び後述する第３、第４の実施形態にも適用可能なファイル構成である。
【００３４】
次に、本発明の第２の実施形態の動作を、図１４乃至図１８を参照して説明する。図１４は、本実施形態の動画像再生装置９００（図９参照）の動作を示すフローチャートである。
【００３５】
電源投入により、システム制御回路９０１はフラグや制御変数等を初期化し（ステップＳ１４０１）、不揮発性メモリ１１００に記録されている画像データ情報を取得する。システム制御回路９０１は、操作部９０９により動画撮影開始が指示されていることを検知した場合（ステップＳ１４０２／ＹＥＳ）、動画撮影を開始する（ステップＳ１４０３）。操作部９０９により動画撮影終了が指示されていない場合は（ステップＳ１４０４／ＮＯ）、画像・音声データを取得して動画再生用データをファイルに書き込み（ステップＳ１４０５）、ダイジェスト表示用データの候補画像をメンテナンスする（ステップＳ１４０６）。動画再生用データをファイルに書き込む方法についての説明は図１５を用いて、候補画像のメンテナンス方法についての説明は、図１７を用いて後述する。
【００３６】
操作部９０９により動画撮影終了が指示された場合は（ステップＳ１４０４／ＹＥＳ）、動画撮影を終了し（ステップＳ１４０７）、ダイジェスト表示用データを作成してファイルに書き込み（ステップＳ１４０８）、動画撮影開始指示待ちのステップＳ１４０２へ移行する。ダイジェスト表示用データの作成方法についての説明は、図１６、図１８を用いて後述する。
【００３７】
図１５は、動画再生用データ作成シーケンス（ステップＳ１４０５）におけるメモリマップを示す図である。メモリ制御部９０６から取得されたデータがＲＡＷ領域に一旦入り、データ圧縮部９０３を経て圧縮済みデータとなりファイルバッファに置かれた後、Ｉ／Ｆ９１２によって不揮発性メモリに書き込まれる様子を示している。候補画像取得タイミングの場合は、圧縮済みデータはファイルバッファに置かれると同時にダイジェスト表示用データ候補画像領域にも置かれる。
【００３８】
図１６は、ダイジェスト表示用データ作成シーケンス（ステップＳ１４０８）におけるメモリマップを示す図である。動画撮影中に保持された候補画像領域から選択して作成されたダイジェスト表示用データが、Ｉ／Ｆ９１２によって不揮発性メモリに書き込まれる様子を示している。
【００３９】
図１７は、ダイジェスト表示用データの候補画像をメンテナンス（ステップＳ１４０６）する動作を示した図である。次の式により、現在の動画フレーム番号が取得タイミングである場合はダイジェスト画像候補データとして取得、保持する。その際、現在の動画撮影時間から計算した理想的なダイジェスト間隔以内の保持データは、撮影後にも絶対に使用されないことが保証されるため破棄する。
最初の候補画像♯０のFrameNumber=♯0、候補画像♯ｎ＋１のFrameNumber=A・n＋候補画像♯n-1のFrameNumberとすると、
候補画像♯nのFrameNumber=♯(?*n*(n-1))となる。
【００４０】
図１８は、ダイジェスト表示用データの作成、書き込みシーケンス（ステップＳ１４０８）について示した図である。撮影終了時間から理想的なダイジェスト画像間隔を計算し、その間隔に最も近い候補画像をダイジェスト表示用データとして採用する。図１８の例では、先頭フレーム（候補画像♯０）、候補画像♯４、候補画像♯６、候補画像♯８、候補画像♯９、候補画像♯１０、候補画像♯１１、最終フレームがダイジェスト表示用画像として採用される。採用したダイジェスト表示用データは、操作部９０９によって動画再生用データと同ファイルに書き込む事が指示されている場合は同ファイル（図１２参照）に、別ファイルに書き込む事が指示されている場合は別ファイル（図１３参照）に書き込む。
【００４１】
なお動画撮影時間が短いために、候補画像数が足りない場合や選択画像が重複する場合は、動画撮影時間が短い場合はファイル内を全検索しても処理時間が長くならないので動画ファイル中からダイジェスト表示用データの候補画像を取得し、ダイジェスト表示用データを作成する。
【００４２】
＜第３の実施形態＞
次に、本発明の第３の実施形態について説明する。基本動作は上記の第２の実施形態とほぼ同じであるので、ここでは第２の実施形態と異なる図１４中のステップＳ１４０６とステップＳ１４０８についてのみ説明する。
【００４３】
図１９は、ダイジェスト表示用データの候補画像を取得するタイミング（図１４のステップＳ１４０６）について示している。ここでは例として候補画像の保持数を８枚としている。
【００４４】
最初はまず適当な等間隔で８枚の候補画像を取得する。８枚目の候補画像を取得すると、次に同間隔で９枚目の候補画像を取得した後、現在の候補画像の取得状態において、最も短い取得間隔のうちの最も新しい取得間隔と次に新しい取得間隔との双方に関係する候補画像を削除する。上記のように一旦候補画像を削除して取得間隔を広げた後は、現在の候補画像の取得状態において最も長い取得間隔で候補画像を取得するとともに、上記の候補画像の削除を実行する。このような動作を繰り返すことにより、保持する候補画像を８枚に保つ。このようにすることで、前段、後段における候補画像の取得間隔を均等にすることができる。
【００４５】
図２０は、取得した候補画像からダイジェスト表示用データを作成（図１４のステップＳ１４０８）する方法について示している。ここではダイジェスト表示用データは９枚の画像から成っている。保持している候補画像８枚に最終フレームを足した９枚の画像でダイジェスト表示用データを作成し、操作部９０９に応じて動画再生用ファイルと同ファイル又は別ファイルに書き込む。
【００４６】
＜第４の実施形態＞
次に、本発明の第４の実施形態を、図１９と図２１を参照しながら説明する。基本動作は上記の第３の実施形態とほぼ同じであるので、ここでは第３の実施形態と異なる図１４中のステップＳ１４０８についてのみ説明する。
【００４７】
図２１は、取得した候補画像からダイジェスト表示用データを作成する図１４のステップＳ１４０８の方法について示している。ここでもダイジェスト表示用データは９枚の画像から成っているが、候補画像として保持している枚数はここでは３０枚である（撮影中に保持する候補画像数を３０枚としている）。
【００４８】
撮影終了時間から理想的なダイジェスト画像間隔を計算し、その間隔に最も近い候補画像をダイジェスト表示用データとして取得し、ダイジェスト表示用データを作成する。その後操作部１０９に応じて動画再生用ファイルと同ファイル又は別ファイルに書き込む。
【００４９】
本発明の第２〜第４の実施形態によれば、ダイジェスト表示用データを作成する際に、動画再生用データから特定フレームのデータを抜き出す必要が無くなり、その動画のダイジェスト表示用データを高速に作成することができるようになる。
【００５０】
なお、上記実施形態においては、不揮発メモリ３００は、ＰＣＭＣＩＡカードやコンパクト(登録商標）フラッシュ等のメモリカード、ハードディスク等だけでなく、マイクロＤＡＴ、光磁気ディスク、ＣＤ−ＲやＣＤ−ＲＷ等の光ディスク、ＤＶＤ等の相変化型光ディスク等で構成されていても勿論問題無い。
【００５１】
また、不揮発メモリ３００がメモリカードとハードディスク等が一体となった複合媒体であっても勿論問題無い。さらに、その複合媒体から一部が着脱可能な構成としても勿論問題無い。
【００５２】
そして、上記実施形態の説明においては、不揮発メモリ３００は画像再生装置１００と分離していて任意に接続可能なものとして説明したが、いずれか或いは全ての記録媒体が画像処理装置１００に固定したままとなっていても勿論問題無い。
【００５３】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００５４】
この場合、記憶媒体から読み出されたプログラムコード自体が前述した実施形態の機能を実現することになり、プログラムコード自体及びそのプログラムコードを記憶した記憶媒体は本発明を構成することになる。
【００５５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５６】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００５７】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００５８】
【図１】本発明の第１の実施形態に係る動画像再生装置の構成を示す図である。
【図２】動画像再生装置の操作部を示す図である。
【図３】動画をダイジェスト表示する際のフレームと表示位置との関係を模式的に示す図である。
【図４】操作部の操作に伴う画面表示の変化の様子を示す図である。
【図５】操作の操作に伴う画面表示の変化の様子を示す図である。
【図６】ダイジェストスイッチのＯＮ／ＯＦＦに伴う画面表示の変化の様子を示す図である。
【図７】操作の操作に伴う画面表示の変化の様子を示す図である。
【図８】本発明の第１の実施形態に係る動画像再生装置の動作を示すフローチャートである。
【図９】本発明の第２乃至第４の実施形態に係る動画像再生装置の構成を示す図である。
【図１０】理想的なダイジェスト画像間隔を示す図である。
【図１１】ダイジェスト表示用データの候補画像を取得するタイミングの一例を示す図である。
【図１２】ダイジェスト表示用データを含まない動画ファイルと、動画再生用データとダイジェスト表示用データの両方を含む動画ファイルとの構造を示す図である。
【図１３】動画再生用データとダイジェスト表示用データが別ファイルになっている場合の動画ファイルの構造を示す図である。
【図１４】本発明の第２の実施形態に係る動画像再生装置の動作を示すフローチャートである。
【図１５】動画再生用データをファイルに書き込む方法を説明するための図である。
【図１６】ダイジェスト表示用データ作成シーケンス（ステップＳ１４０８）におけるメモリマップを示す図である。
【図１７】候補画像のメンテナンス方法を説明するための図である。
【図１８】ダイジェスト表示用データの作成、書き込みシーケンス（ステップＳ１４０８）について示した図である。
【図１９】ダイジェスト表示用データの候補画像を取得するタイミング（図１４のステップＳ１４０６）について示した図である。
【図２０】取得した候補画像からダイジェスト表示用データを作成（図１４のステップＳ１４０８）する方法について示した図である。
【図２１】取得した候補画像からダイジェスト表示用データを作成する図１４のステップＳ１４０８の方法について示した図である。
【符号の説明】
【００５９】
１００、９００  動画像再生装置
１０１、９０１  システム制御回路
１０２、９０２  揮発性メモリ
１０３  データ伸張部
１０４  画像用Ｄ／Ａ変換器
１０５  メモリ制御部
１０６  映像音声出力端子
１０７  映像表示装置
１０８  外部出力接続検知器
１０９  ダイジェストスイッチ
１１１  音声用Ｄ／Ａ変換器
１１２  スピーカ
１１３、９１０  電源制御部
１１４、９１１  コネクタ
１１５、９１２  Ｉ／Ｆ
１１６、９１３  コネクタ
２００、１０００  電源部
２０１、１００１  電源
２０２、１００２  コネクタ
３００、１１００  不揮発性メモリ
３０１、１１０１  記録部
３０２、１１０２  インタフェース
３０３、１１０３  コネクタ
４００、９０９  操作部
４０１  画像戻しボタン
４０２  動画再生開始ボタン
４０３  画像送りボタン
４０４  マルチ画像再生ボタン
９０４  撮像部
９０５  画像用Ａ／Ｄ変換器
９０６  メモリ制御部
９０７  マイク
９０８  音声用Ａ／Ｄ変換器
【図１】
2006211419.tif 000003
【図２】
2006211419.tif 000004
【図３】
2006211419.tif 000005
【図４】
2006211419.tif 000006
【図５】
2006211419.tif 000007
【図６】
2006211419.tif 000008
【図７】
2006211419.tif 000009
【図８】
2006211419.tif 000010
【図９】
2006211419.tif 000011
【図１０】
2006211419.tif 000012
【図１１】
2006211419.tif 000013
【図１２】
2006211419.tif 000014
【図１３】
2006211419.tif 000015
【図１４】
2006211419.tif 000016
【図１５】
2006211419.tif 000017
【図１６】
2006211419.tif 000018
【図１７】
2006211419.tif 000019
【図１８】
2006211419.tif 000020
【図１９】
2006211419.tif 000021
【図２０】
2006211419.tif 000022
【図２１】
2006211419.tif 000023